(57)【特許請求の範囲】
【請求項１】
二つの部材を着脱自在に係合させる面ファスナー組部材であって、該面ファスナー組部材は、係合要素部材Ａ片及びＢ片から構成されており、該Ａ片の係合要素部材の一方の面には係合素子を配備し、前記Ａ片の係合要素部材に配備された係合素子は、該Ａ片の係合要素部材の前記一方の面全面またはその一部の面に配備され、前記Ｂ片の係合要素部材の一方の面に配備された係合素子は、該Ｂ片の係合要素部材の前記一方の面全面またはその一部の面に配備され、該Ｂ片の係合要素部材に配備された係合素子が前記一方の面全面に配備されている場合には、その反対面の一部に粘着剤層または両面粘着テープを配備し、前記Ｂ片の係合要素部材に配備された係合素子が前記一方の面の一部に配備されている場合には、該Ｂ片の一方の面の係合素子が配備されていない部分に粘着剤層または両面粘着テープを配備し、さらに前記Ａ片の係合要素部材には、前記係合素子が前記一方の面全面に配備されている場合には、その反対面の一部または全部に粘着剤層または両面粘着テープを配備し、前記Ａ片の係合要素部材に配備された係合素子が前記一方の面の一部に配備されている場合には、該Ａ片の一方の面の係合素子が配備されていない部分に、粘着剤層または両面粘着テープを配備し、前記Ａ片及び前記Ｂ片の係合要素部材に配備された係合素子により、マチ機能と係止機能を兼ねたことを特徴とする面ファスナー組部材を用いた係止具。
【請求項２】
前記Ａ片及びＢ片係合要素部材の各粘着剤層または各両面粘着テープの外面側には剥
離紙を貼着してなることを特徴とする請求項１記載の面ファスナー組部材を用いた係
止具。
【請求項３】
前記Ａ片及びＢ片係合要素部材の一方の面に、夫々ループ係合素子またはフック係合素子を配備したことを特徴とする請求項１又は２記載の面ファスナー組部材を用いた係止具。
【請求項４】
前記Ａ片及びＢ片係合要素部材の一方の面に、編織成により形成されたフック係合素子またはループ係合素子を形成するか、あるいはまたフック係合素子とループ係合素子とが混在する形態を形成してなることを特徴とする請求項１又は２記載の面ファスナー組部材を用いた係止具。
【請求項５】
前記Ａ片及びＢ片係合要素部材に設けられたフック係合素子が、射出成形により成形してなることを特徴とする請求項１又は２記載の面ファスナー組部材を用いた係止具。
【請求項６】
前記Ａ片及びＢ片係合要素部材の一方の面に、夫々樹脂製きのこ型ステム係合素子を配備したことを特徴とする請求項１又は２記載の面ファスナー組部材を用いた係止具。
【請求項７】
前記Ａ片または前記Ｂ片係合要素部材、あるいは前記Ａ片及びＢ片係合要素部材ともに、弾力性を具有させた基材からなることを特徴とする請求項、１、２、３、４、５又は６記載の面ファスナー組部材を用いた係止具。
【請求項８】
前記Ａ片または前記Ｂ片係合要素部材、あるいは前記Ａ片及びＢ片係合要素部材ともに、インデックスの機能を具有してなることを特徴とする請求項、１、２、３、４、５、６又は７記載の面ファスナー組部材を用いた係止具。
【発明の詳細な説明】
【技術分野】
【０００１】
本発明は面ファスナーに係り、更に詳しくは、文具用・事務用収納具に適用される係止具として、収納具に装着するための取付け部分に改良を加えて、係止具として最適な位置に、必要な数を極めて簡便に取付け出来る面ファスナー組部材に関するものである。
【背景技術】
【０００２】
近年、コンピューター機器の飛躍的普及に伴い、フロッピー（登録商標）ディスク（ＦＤ）、コ ンパクトディスク（ＣＤ）、デジタルバーサタイトディスク（ＤＶＤ）、ＵＳＢメモリ  等の記憶媒体が様々な分野で利用されるに至っている。最近では、案件ごとに書類、カ  タログ、資料、契約書など紙類と記憶媒体を一緒に収納し、持ち運びも頻繁に行われることも多く、整理、区分、保管を行う係止具付収納具が考案されている。
【０００３】
従来、書類ホルダーのとしては、矩形状とした表裏シート面部の隣り合う二辺縁閉塞されたホルダー本体を形成する一方、開放側となる表裏シート二辺縁の隅角部適所、内側面部の各雄雌面ファスナー部が、二辺縁を互いに着脱自在に仮着可能とする機能を果たし、収納した書類の脱落や落下を防止することができ、切り欠け部を利用して収納してある書類をつかみ、容易に取り出すことが出来るという手段が、特開２００７−２８３６９４公報に開示されている。
【０００４】
またバインダーでは、表裏２枚のカバーを備えた一方に設けられたベルトの先端部に面ファスナーが取付けられており、他方にはベルトの先端部に取り付けられた面ファスナーに係着する面ファスナーが設けられている。このベルトにより表裏の両カバーを閉じた状態で、背部分の内側と紙束の合綴部分の外縁の面ファスナーにより固定保持することができる手段が、特開２００３−２４６１６４公報に開示されている。
【０００５】
さらに、１つの面が開口された直方体箱型形状の保持体と、カバー体からなり、半紙や下敷きに折り目線が入らないように持ち運びできるシートホルダーの底面シートの片面中央部とカバー体の長辺の中央部の端縁とに面ファスナーが設けられ、カバー体を固着することにより書類の落下や脱落を防止する手段が、登録実用新案第３０９１８５２号公報に開示されている。
【０００６】
さらにまた、一面にフック素子を植設した基材１の裏面全面に両面粘着テープを配備し、この両面粘着テープの外面に、シート状のシート材を貼着し、その外面に接着剤層を配備するとともに、さらにその外面へ剥離紙を貼着して雄型の面ファスナーを形成する。これに対向する雌型の面ファスナーは、一面にループ係合素子を植設した 基材２の裏面全面に接着剤層を配設し、この接着剤層の外面に剥離紙を貼着した面ファスナーを、おむつなどの固定用の止具として用いる手段が特開平１０−９９３７４公報に開示されている。
【先行技術文献】
【特許文献】
【０００７】
【特許文献１】特開２００７−２８３６９４  公報
【特許文献２】特開２００３−２４６１６４  公報
【特許文献３】実用新案第３０９１８５２号  公報
【特許文献４】特開平１０−９９３７４  公報
【発明の概要】
【発明が解決しようとする課題】
【０００８】
前述の書類ホルダーは、二辺縁の隅角部の内側に取付けた雄雌の面ファスナーに収納物の厚さに対する余裕がないため、書類や収納物の厚さが一定量を超えると着脱自在に仮着が出来ず、脱落や落下を防止できなくなるという問題点がある。
【０００９】
また、前述のバインダーの背部分と紙束の面ファスナーさらにベルトの面ファスナーによって脱落や落下を防止できたとしても、ベルト先端部とそれに係着する小さな面ファスナーは、マチ部に対応してベルトを固定する固着手段として用いられているため、マチ部より薄いもの及び厚いものに対する調整が出来ない。そのために、多様な収納物や厚さに対して臨機応変に対処することが出来ないという問題点がある。
【００１０】
また、前述のシートホルダーに取付けられた面ファスナーは、前述のバインダーと同様に先端に小さな面ファスナーを取付けた調整範囲の狭い固定した固着手段として用いられ、さらに厚さに対処するためのマチ部と蓋部を持った直方体箱型形状になっているので、製造コストが高くなるという別異の問題が招来する。
【００１１】
さらに、前述の面ファスナーは、マチ部を持った直方体箱型形状の蓋部の固定した固着手段として９０°の角度で取付けて留め金機能として用いられ、蓋部に当たるカバー体により収納物の落下・脱落を防止しているが、マチ部が無く、蓋部を持たないファイルやホルダー等は、大きさの違う多様な収納物や厚さに対してやはり臨機応変に対処し、落下・脱落を防止することができないという問題点がある。
【００１２】
また前述のおむつ用固定手段に使用する面ファスナーをそのまま文具用・事務用収納具の係止具として用いたとしても、不要なシート材が貼着されている。さらに、基材の裏面全面に配備された両面粘着テープの接着剤層の接着強度が、シート材の外面の接着剤層の接着強度よりも低弱である。このため着脱時に係合素子が係合したまま、シート材が基材から剥離して、着脱が自在に出来ないという問題点がある。
【００１３】
さらに、おむつ用固定手段を、独立した面ファスナー組部材としての認識もなく応用しようとして、そのまま文具用・事務用収納具の係止具として用いたとしても、裏面全面に両面粘着テープまたは接着剤層を配備しているので、このままの使用では両面粘着テープまたは接着剤層の粘着剤が邪魔になり実用困難ならしめるという問題点がある。
【００１４】
本発明は、上記のような問題点に着目し、その課題を解決するためになされたものであり、文具用・事務用収納具の係止具として、収納具に装着するための取付け部分に改良を加えて、製造コストをおさえ、各種使用態様に臨機応変に対応して収納物の脱落や落下を防止し、収納や取出し、整理・区分・保管を容易におこなえ、さらに取扱いや取り付けが簡便で係止具として最適な位置に、必要な数を取付け出来る独立した面ファスナー組部材を提供することを目的とする。
【課題を解決するための手段】
【００１５】
本発明は、前記目的を達成するために、次のような手段を講じたものである。すなわち、請求項１記載の発明は、二つの部材を着脱自在に係合させる独立した面ファスナー組部材であって、該独立した面ファスナー組部材は、さまざまな大きさの紙類や収納物または収納体さらには、さまざまな収納量を、整理・区分・保管し、持ち運びにも対応するために、多種多様な大きさ・長さ・形態・色彩・模様に形成した各種係合要素部材Ａ片及びＢ片から構成されており、該Ａ片の係合要素部材の一方の面には係合素子を配備し、前記Ａ片の係合要素部材に配備された係合素子は、該Ａ片の係合要素部材の前記一方の面全面またはその一部の面に配備され、前記Ｂ片の係合要素部材の一方の面に配備された係合素子は、該Ｂ片の係合要素部材の前記一方の面全面またはその一部の面に配備され、該Ｂ片の係合要素部材に配備された係合素子が前記一方の面全面に配備されている場合には、その反対面の一部に粘着剤層または両面粘着テープを配備し、前記Ｂ片の係合要素部材に配備された係合素子が前記一方の面の一部に配備されている場合には、該Ｂ片の一方の面の係合素子が配備されていない部分に粘着剤層または両面粘着テープを配備し、さらに前記Ａ片の係合要素部材には、前記係合素子が前記一方の面全面に配備されている場合には、その反対面の一部または全部に粘着剤層または両面粘着テープを配備し、前記Ａ片の係合要素部材に配備された係合素子が前記一方の面の一部に配備されている場合には、該Ａ片の一方の面の係合素子が配備されていない部分に、粘着剤層または両面粘着テープを配備し、前記Ａ片及び前記Ｂ片の係合要素部材に配備された係合素子により、マチ機能と係止機能を兼ねた独立した面ファスナー組部材を主な構成としている。
【００１６】
請求項２記載の発明は、請求項１記載の発明の構成に加え、前記Ａ片及びＢ片係合要素部材の各粘着剤層または各両面粘着テープの外面側に剥離紙を貼着した独立した面ファスナー組部材である。
【００１７】
請求項３記載の発明は、請求項１または２記載の発明の構成に加え、前記Ａ片係合要素部材及びＢ片係合要素部材の一方の面及び両面に、夫々ループ係合素子またはフック係合素子を配備した独立した面ファスナー組部材である。
【００１８】
請求項４記載の発明は、請求項１または２記載の発明の構成に加え、前記Ａ片係合要素部材及びＢ片係合要素部材が編織成により形成された基材の一方の面及び両面に、編織成と同時にフック係合素子またはループ係合素子を形成するか、あるいはまたフック係合素子とループ係合素子とが混在する形態に形成した、独立した面ファスナー組部材である。
【００１９】
請求項５記載の発明は、請求項１、２または３記載の発明の構成に加え、前記Ａ片係合要素部材及びＢ片係合要素部材に設けられたフック係合素子が編織成による基材、または熱可塑性樹脂の成形手段によるシート状の基材の一面に熱可塑性樹脂を射出成形することにより成形した、独立した面ファスナー組部材である。
【００２０】
請求項６記載の発明は、請求項１または２記載の発明の構成に加え、前記Ａ片係合要素部材及びＢ片係合要素部材の一方の面及び両面に、夫々樹脂製きのこ型ステム係合素子を配備した独立した面ファスナー組部材である。
【００２１】
請求項７記載の発明は、請求項１、２、３、４、５または６記載の発明の構成に加え、前記Ａ片係合要素部材または前記Ｂ片係合要素部材、あるいはまた前記Ａ片係合要素部
材及びＢ片係合要素部材ともに、弾力性を具有させた基材からなる独立した面ファスナー組部材である。
【００２２】
請求項８記載の発明は、請求項１、２、３、４、５または６記載の発明の構成に加え、前記Ａ片係合要素部材または前記Ｂ片係合要素部材、あるいはまた前記Ａ片係合要素部材及びＢ片係合要素部材ともに、係合要素部材に形態・色彩・模様・文字・数字等を具有あるいは記入・表示できることにより、係合要素部材をインデックス等として整理・区分・保管に用いる独立した面ファスナー組部材である。
【００２３】
前記Ａ片係合要素部材または前記Ｂ片係合要素部材、あるいはまた前記Ａ片係合要素部材及びＢ片合係要素部材ともに、例えばマグネットシートやフイルム等、着脱自在に接合できる部材を用いることも可能である。
【００２４】
一つの部材で着脱自在に係合させる独立した面ファスナー部材であって、この係合要素部材の一方の面の一部の面または全面に係合素子を配備し、係合素子が配備された反対の面端の一部に粘着剤層または両面粘着テープを配備する。さらに、粘着剤層または両面粘着テープを配備した同じ面の粘着剤層または両面粘着テープを配備していない部分の全面または一部の面に係合素子を配備して形成する独立した面ファスナー部材を用いることも可能である。
【００２５】
前記Ａ片係合要素部材または前記Ｂ片係合要素部材、あるいはまた前記Ａ片係合要素部材及びＢ片合係要素部材ともに、必要な大きさ、必要な長さ、必要な個数に切断して使用することのできる大きさに形成する独立した面ファスナー組部材を用いることも可能である。
【００２６】
二つの部材を着脱自在に係合させる面ファスナー組部材であって、この独立した面ファスナー組部材は、さまざまな大きさの紙類や収納物、さらには、さまざまな収納量を整理・区分・保管し、持ち運びにも対応するために、多種多様な大きさ・長さ・形態・色彩・模様に形成した長短の係合要素部材から構成されており、この長短の係合要素部材の一方の面には夫々係合素子を配備し、前記短係合要素部材に配備された係合素子は、該短係合要素部材の前記一方の面全面またはその一部の面に配備され、前記長係合要素部材に配備された係合素子は、該長係合要素部材の前記一方の面全面またはその一部の面に配備され、該長係合要素部材に配備された係合素子が前記一方の面全面に配備されている場合には、その反対面の一部に粘着剤層または両面粘着テープを配備し、前記長係合要素部材に配備された係合素子が前記一方の面の一部に配備されている場合には、該長係合要素部材の一方の面の係合素子が配備されていない部分に粘着剤層または両面粘着テープを配備し、さらに前記短係合要素部材には、前記係合素子が前記一方の面全面に配備されている場合には、その反対面の一部または全部に粘着剤層または両面粘着テープを配備し、前記短係合要素部材に配備された係合素子が前記一方の面の一部に配備されている場合には、該短係合要素部材の一方の面の係合素子が配備されていない部分に、粘着剤層または両面粘着テープを配備し、前記短係合要素部材及び前記長係合要素部材に配備された係合素子により、マチ機能と係止機能を兼ねた独立した面ファスナー組部材を用いることも可能である。
【００２７】
また前記長短係合要素部材の各粘着剤層または各両面粘着テープの外面側に剥離紙を貼着した、独立した面ファスナー組部材である。
【００２８】
前記長短係合要素部材の一方の面に、夫々ループ係合素子またはフック係合素子を配備した、独立した面ファスナー組部材である。
【００２９】
前記長短係合要素部材が編織成により形成された基材の一方の面に、編織成と同時にフック係合素子またはループ係合素子を形成するか、あるいはまたフック係合素子とループ係合素子とが混在する形態に形成した、独立した面ファスナー組部材である。
【００３０】
前記長短係合要素部材に設けられたフック係合素子が編織成による基材、または熱可塑性樹脂の成形手段によるシート状の基材の一面に熱可塑性樹脂を射出成形することにより成形した、独立した面ファスナー組部材である。
【００３１】
前記長短係合要素部材の一方の面に、夫々樹脂製きのこ型ステム係合素子を配備した、独立した面ファスナー組部材である。
【００３２】
前記長係合要素部材または前記短係合要素部材、あるいはまた前記長係合要素部材及び前記短係合要素部材ともに弾力性を具有させた基材からなる独立した面ファスナー組部材である。
【００３３】
前記長係合要素部材または前記短係合要素部材、あるいはまた前記長係合要素部材及び前記短係合要素部材ともに、係合要素部材に形態・色彩・模様・文字・数字等を具有あるいは記入・表示できることにより、係合要素部材をインデックス等として整理・区分・保管に用いる独立した面ファスナー組部材である
【００３４】
前記長係合要素部材または前記短係合要素部材、あるいはまた前記長係合要素部材及び前記短係合要素部材ともに、例えばマグネットシートやフイルム等、着脱自在に接合できる部材を用いることも可能である。
【００３５】
二つの部材を着脱自在に係合させる独立した面ファスナー組部材であって、この独立したこの面ファスナー組部材は、さまざまな大きさの紙類や収納物、さらには、さまざまな収納量を整理・区分・保管し、持ち運びにも対応するために、多種多様な大きさ・長さ・形態・色彩・模様に形成した長短二つの係合要素部材から構成されており、該長短二つの係合要素部材の一方の面には夫々ループ係合素子またはフック係合素子を配備し、前記短係合要素部材に配備されたループ係合素子またはフック保合素子は、該短係合要素部材の前記一方の面全面またはその一部の面に配備され、前記長係合要素部材に配備されたフック係合素子またはループ係合素子は,該長係合要素部材の前記一方の面全面またはその一部の面に配備され、該長係合要素部材に配備されたフック係合素子またはループ係合素子が前記一方の面全面に配備されている場合には、その反対面の一部に粘着剤層または両面粘着テープを配備し、前記長係合要素部材に配備されたフック係合素子またはループ係合素子が前記一方の面の一部に配備されている場合には、該長係合要素部材の一方の面のフック係合素子またはループ係合素子が配備されていない部分に粘着剤層または両面粘着テープを配備し、さらに前記短係合要素部材には、前記ループ係合素子またはフック係合素子が前記一方の面全面に配備されている場合には、その反対面の一部または全部に粘着剤層または両面粘着テープを配備し、前記短係合要素部材に配備されたフック係合素子またはループ係合素子が前記一方の面の一部に配備されている場合には、該短係合要素部材の一方の面のフック係合素子またはループ係合素子が配備されていない部分に、粘着剤層または両面粘着テープを配備し、前記短係合要素部材及び前記長係合要素部材に配備されたフック係合素子またはループ係合素子により、マチ機能と係止機能を兼ねた独立した面ファスナー組部材を用いることも可能である。
【００３６】
ループ係合素子またはフック係合素子を配備した前記長短係合要素部材の各粘着剤層または各両面粘着テープの外面側には剥離紙を貼着した、独立した面ファスナー組部材である。
【００３７】
ループ係合素子またはフック係合素子を配備した前記長短係合要素部材が編織成により形成された基材の一方の面に、編織成と同時にフック係合素子またはループ係合素子を形成するか、あるいはまたフック係合素子とループ係合素子とが混在する形態に形成した、独立した面ファスナー組部材である。
【００３８】
ループ係合素子またはフック係合素子を配備した前記長短係合要素部材に前記長短係合要素部材に設けられたフック係合素子が、編織成による基材、または熱可塑性樹脂の成形手段によるシート状の基材の一面に熱可塑性樹脂を射出成形することにより成形した、独立した面ファスナー組部材である。
【００３９】
ループ係合素子またはフック係合素子を配備した前記長係合要素部材または前記短係合要素部材、あるいはまた前記長係合要素部材及び前記短係合要素部材ともに、弾力性を具有させた基材からなる独立した面ファスナー組部材である。
【００４０】
ループ係合素子またはフック係合素子を配備した前記長係合要素部材または前記短係合要素部材、あるいはまた前記長係合要素部材及び前記短係合要素部材ともに、形態・色彩・模様・文字・数字等を具有あるいは記入・表示できることにより、係合要素部材をインデックス等として整理・区分・保管に用いる独立した面ファスナー組部材である。
【発明の効果】
【００４１】
この発明の独立した面ファスナー組部材及びその独立した面ファスナー組部材を用いた係止具は、上記のとおりの構成であり、この構成によって下記の効果を得ることができる。
【００４２】
本発明のうち請求項１記載の発明は、二つの部材を着脱自在に係合させる独立した面ファスナー組部材であって、該独立した面ファスナー組部材は、さまざまな大きさの紙類や収納物または収納体さらには、さまざまな収納量を、整理・区分・保管し、持ち運びにも対応するために、多種多様な大きさ・長さ・形態・色彩・模様に形成した各種係合要素部材Ａ片及びＢ片から構成されており、該Ａ片の係合要素部材の一方の面には係合素子を配備し、前記Ａ片の係合要素部材に配備された係合素子は、該Ａ片の係合要素部材の前記一方の面全面またはその一部の面に配備され、前記Ｂ片の係合要素部材の一方の面に配備された係合素子は、該Ｂ片の係合要素部材の前記一方の面全面またはその一部の面に配備され、該Ｂ片の係合要素部材に配備された係合素子が前記一方の面全面に配備されている場合には、その反対面の一部に粘着剤層または両面粘着テープを配備し、前記Ｂ片の係合要素部材に配備された係合素子が前記一方の面の一部に配備されている場合には、該Ｂ片の一方の面の係合素子が配備されていない部分に粘着剤層または両面粘着テープを配備し、さらに前記Ａ片の係合要素部材には、前記係合素子が前記一方の面全面に配備されている場合には、その反対面の一部または全部に粘着剤層または両面粘着テープを配備し、前記Ａ片の係合要素部材に配備された係合素子が前記一方の面の一部に配備されている場合には、該Ａ片の一方の面の係合素子が配備されていない部分に、粘着剤層または両面粘着テープを配備する。このような構成により、接着剤層または両面粘着テープの粘着剤が邪魔になり実用困難ならしめるということも、有効に回避することが可能となる。さらに、前記Ａ片及び前記Ｂ片の係合要素部材に配備された係合素子によりマチ機能と係止機能を兼ね、多様な書類等の紙類や収納物、収納量など各種使用態様に臨機応変に対応するために、最適な長さの独立した面ファスナー組部材を、必要な箇所に必要な数だけ極めて簡便に取付けられることにより、書類等の紙類や収納物の脱落や落下を防止するとともに、整理・区分・保管し、持ち運びにも対応することができるという従来にはない優れた効果を得ることができる。
【００４３】
請求項２記載の発明は、請求項１記載の発明の効果に加え、Ａ片及びＢ片係合要素部材の各粘着剤層または各両面粘着テープの外面側に、剥離紙を貼着したことにより、独立した面ファスナー組部材として取扱いも簡便で、収納具に装着する場合、剥離紙を剥がして極めて簡便に取付けることが出来る効果がある。
【００４４】
請求項３記載の発明は、請求項１または２記載の発明の効果に加え、Ａ片及びＢ片係合要素部材の一方の面に、夫々ループ係合素子またはフック係合素子を配備したことによって、着脱自在に係合させることができさらに、収納物の収納及び取出しが、簡便に行えるという効果がある。
【００４５】
請求項４記載の発明は、請求項１、または２記載の発明の効果に加え、Ａ片及びＢ片係合要素部材の一方の面に、編織成により形成されたフック係合素子またはループ係合素子を形成するか、あるいはまたフック係合素子とループ係合素子とが混在する形態を形成することによって、係合力はやや弱いが、何れの形態の面ファスナーにも適用することがでるために在庫を減らし製造コストをおさえた独立した面ファスナー組部材を提供することが可能になるという効果を得ることが出来る。        
【００４６】
請求項５記載の発明は、請求項１、２または３記載の発明の効果に加え、Ａ片及びＢ片係合要素部材に設けられたフック係合素子が、射出成形により成形したフック係合素子とループ係合素子より係合力が強く安価な面ファスナーを独立した面ファスナー組部材として提供することができる。
【００４７】
請求項６記載の発明は、請求項１、または２記載の発明の効果に加え、Ａ片及びＢ片係合要素部材の一方の面に、夫々樹脂製きのこ型ステム係合素子を配備したことにより従来の面ファスナーより強い係合力が得られ、さらにまた一種類の独立した面ファスナー組部材で構成することにより在庫を減らし製造コストを下げる効果を得ることが出来る。
【００４８】
請求項７記載の発明は、請求項１、２，３，４，５または６記載の発明の効果に加え、Ａ片または前記Ｂ片係合要素部材、あるいはまたは前記Ａ片及びＢ片係合要素部材ともに弾力性を具有したことにより係合要素部材が伸縮して収納の許容が広がり、より一層便利に安定して使用することができる効果がある。
【００４９】
請求項８記載の発明は、請求項１、２，３，４，５、６または７記載の発明の効果に加え、Ａ片または前記Ｂ片係合要素部材、あるいはまたは前記Ａ片及びＢ片係合要素部材ともに、インデックスとしての機能を具有することにより、収納物・収納体を保管する時に、より一層整理・区分・取出しが容易に行える効果を発揮するものである。
【図面の簡単な説明】
【００５０】
【図１】面ファスナー組部材の参考側面図である。
【図２】一実施形態に基づく面ファスナー組部材の参考側面図である。
【図３】他の実施形態に基づく面ファスナー組部材の参考側面図である。
【図４】他の実施形態に基づく面ファスナー組部材の参考側面図である。
【図５】他の実施形態に基づく面ファスナー組部材の参考側面図である。
【図６】他の実施形態に基づく面ファスナー組部材の参考側面図である。
【図７】他の実施形態に基づく面ファスナー組部材の参考側面図である。
【図８】ループとフック係合素子が混合する面ファスナー組部材の参考側面図である。
【図９】射出成形でフック係合素子が形成された面ファスナー組部材の参考側面図である。
【図１０】樹脂製きのこ型ステムで形成された面ファスナー組部材の参考側面図である。
【図１１】一つの部材で係合するように形成された面ファスナー部材の参考側面図である。
【図１２】マグネットシートを用いた組部材の参考側面図である。
【図１３】インデックスの機能をもつ面ファスナー組部材の参考側面図である。
【図１４】図２に示した面ファスナー組部材の使用態様を示す参考斜視図である。
【図１５】図３に示した面ファスナー組部材の使用態様を示す参考斜視図である。
【図１６】図４に示した面ファスナー組部材の使用態様を示す参考斜視図である。
【図１７】図５に示した面ファスナー組部材の使用態様を示す参考斜視図である。
【図１８】面ファスナー組部材を長辺に二つ使用した参考斜視図である。
【図１９】面ファスナー組部材を長辺一つと短辺一つに使用した参考斜視図である。
【図２０】図６に示した面ファスナー組部材の使用態様を示す参考斜視図である。
【図２１】図７に示した面ファスナー組部材の使用態様を示す参考斜視図である。
【図２２】図１１に示した面ファスナー組部材の使用態様を示す参考斜視図である。
【図２３】図１２に示した面ファスナー組部材の使用態様を示す参考斜視図である。
【図２４】図１３に示した面ファスナー組部材の使用態様を示す斜視図である。
【図２５】飾りを付加した面ファスナー組部材の使用態様を示す斜視図である。
【発明を実施するための形態】
【００５１】
この発明は、添付の図面を参考にした以下の好適な実施形態の説明から、より明瞭に理解される。また、本発明は下記の実施例に限定されるものではない。さらに、図面は必ずしも一定の縮尺で示されておらず、本発明の原理を示す上で誇張したものになっている。
【００５２】
以下、本発明の独立した面ファスナー組部材及びその他の組部材を用いた係止具の実施の形態について、図面を参照しながら具体的に説明する。
【００５３】
この発明の独立した面ファスナー組部材は、収納具に装着する場合、剥離紙を剥がし面ファスナー組部材に配備した接着剤層または両面粘着テープにより極めて簡便に取付けることが出来るうえ、取付け後の使用でも、接着剤層や両面粘着テープの粘着剤が邪魔になり実用困難ならしめるという不都合な問題点が解消できる。
例えば、図１に示すように面ファスナー組部材の参考側面図は、一方の面全面にループ係合素子３を植設した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、不特定な厚さの収納物に適応するために、雌型よりも長くしてマチ機能と係止機能を保持し、一方の面全面にフック係合素子４を植設した基材２の裏面の一部に接着剤層６または両面粘着テープ８を配備し、この接着剤層６または両面粘着テープ８の外面側に、剥離紙１０を貼着して形成する独立した面ファスナー組部材を用いた係止具である。
【００５４】
図２に示す独立した面ファスナー組部材の参考側面図は、一方の面全面にループ係合素子３を植設した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、不特定な厚さの収納物に適応するために、雌型よりも長くしてマチ機能と係止機能を保持し、一方の面全面にフック係合素子４を植設した基材２の裏面の一部に接着剤層６または両面粘着テープ８を配備し、この接着剤層６または両面粘着テープ８の外面側に、剥離紙１０を貼着して形成する。この雌型の面ファスナー組部材は、剥離紙９を剥がして表表紙１１の外面側に貼着し、雄型の面ファスナー組部材は、剥離紙１０を剥がして裏表紙１２の内面側に貼着して使用する。この面ファスナー組部材の着脱操作によって書類等の収納物の出し入れを簡便に行い、また書類や収納物の脱落や落下を防止する独立した面ファスナー組部材を用いた係止具である。
【００５５】
図３に示す独立した面ファスナー組部材の参考側面図は、一方の面全面にループ係合素子３を植設した基材１の裏面全面に接着剤層５または両面粘着テープ７を配備し、この接着剤層５または両面粘着テープ７の外面側に、剥離紙９を貼着して雌型の面ファス
ナー組部材を形成する。これに対向する雄型の面ファスナーは、不特定な厚さの収納物に適応するために、雌型よりも長くしてマチ機能と係止機能を保持し、一方の面の一部の面にフック係合素子４を植設した基材２の同じ面のフック係合素子４が配備されていない部分に、接着剤層６または両面粘着テープ８を配備するとともに、この接着剤層６または両面粘着テープ８の外面側に、剥離紙１０を貼着した面ファスナー組部材を形成する。この雌型の面ファスナー組部材は、剥離紙９を剥がして表表紙１１の外面側に貼着し、雄型の面ファスナー組部材は、剥離紙１０を剥がして裏表紙１２の外面側に貼着して使用する独立した面ファスナー組部材を用いた係止具である。
【００５６】
図４に示す独立した面ファスナー組部材の参考側面図は、一方の面全面にループ係合素子３を植設した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、不特定な厚さの収納物に適応するために、雌型よりも長くしてマチ機能と係止機能を保持し、一方の面全面にフック係合素子４を植設した基材２の裏面の一部に接着剤層６または両面粘着テープ８を配備し、この接着剤層６または両面粘着テープ８の外面側に、剥離紙１０を貼着して形成する。この雌型の面ファスナー組部材は、剥離紙９を剥がして表表紙１１の内面側に貼着し、雄型の面ファスナー組部材は、剥離紙１０を剥がして裏表紙１２の外面側に貼着して使用する独立した面ファスナー組部材を用いた係止具である。
【００５７】
図５に示す独立した面ファスナー組部材の参考側面図は、一方の面全面にループ係合素子３を植設した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、不特定な厚さの収納物に適応するために、雌型よりも長くしてマチ機能と係止機能を保持し、一方の面の一部の面にフック係合素子４を植設した基材２のフック係合素子４が配備されていない部分に、接着剤層６または両面粘着テープ８を配備すると伴に、この接着剤層６または両面粘着テープ８の外面側に、剥離紙１０を貼着した面ファスナー組部材を形成する。この雌型の面ファスナー組部材は、剥離紙９を剥がして表表紙１１の内面側に貼着し、雄型の面ファスナー組部材は、剥離紙１０を剥がして裏表紙１２の内面側に貼着して使用する独立した面ファスナー組部材を用いた係止具である。
【００５８】
図６に示す独立した面ファスナー組部材の参考側面図は、収納物や収納体の不特定な厚さにさらに適応するために、雌型は図２の雌型よりも長い面ファスナー組部材で、雄型は雌型よりも長い面ファスナー組部材でマチ機能と係止機能を保持し、一方の面全面にループ係合素子３を植設した基材１の裏面の一部の面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、一方の面の一部の面にフック係合素子４を植設した基材２の同じ面のフック係合素子４が配備されていない部分に、接着剤層６または両面粘着テープ８を配備するとともに、この接着剤層６または両面粘着テープ８の外面側に、剥離紙１０を貼着した面ファスナー組部材を形成する。この雌型の面ファスナー組部材は、剥離紙９を剥がして表表紙１１の外面側に貼着し、雄型の面ファスナー組部材は、剥離紙１０を剥がして裏表紙１２の外面側に貼着して使用する。この面ファスナー組部材の着脱操作によって多様な収納物の出し入れを簡便に行い、さらには脱落や落下を防止し、収納体の整理・区分・保管を簡便に行う独立した面ファスナー組部材を用いた係止具である。
【００５９】
図７に示す独立した面ファスナー組部材の参考側面図は、図６よりさらに厚さのある収納物や収納体の不特定な厚さに適応するために、雌型は図６より長くして、最適な長さの面ファスナー組部材でマチ機能と係止機能を保持し、一方の面全面にループ係合素子３を植設した基材１の裏面の一部の面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、一方の面の一部の面にフック係合素子４を植設した基材２の同じ面のフック係合素子４が配備されていない部分に、接着剤層６または両面着テープ８を配備するとともに、この接着剤層６または両面粘着テープ８の外面側に、剥離紙１０を貼着した面ファスナー組部材を形成する。この雌型の面ファスナー組部材は、剥離紙９を剥がして表表紙１１の外面側に貼着し、雄型の面ファスナー組部材は、剥離紙１０を剥がして裏表紙１２の外面側に貼着して使用する。この面ファスナー組部材によって脱落や落下を防止し、多様で不特定な厚さの収納物や複数の収納体の整理・区分・保管を簡便に行う独立した面ファスナー組部材を用いた係止具である。
【００６０】
図８に示すように独立した面ファスナー組部材の参考側面図は、一方の面全面にフック係合素子とループ係合素子とが混在するような形態13を配備した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、不特定な厚さの収納物に適応するために、雌型よりも長くしてマチ機能と係止機能を保持し、一方の面全面にフック係合素子とループ係合素子とが混在するような形態13を配備した基材２の裏面の一部に接着剤層６または両面粘着テープ８を配備し、この接着剤層６または両面粘着テープ８の外面側に、剥離紙１０を貼着して形成する。この雌型の面ファスナー組部材は、剥離紙９を剥がして表表紙１１の外面側に貼着し、雄型の面ファスナー組部材は、剥離紙１０を剥がして裏表紙１２の内面側に貼着して使用する。この係合力のやや弱い面ファスナー組部材の着脱操作によって多様な紙類や収納物の出し入れを簡便に行い、さらには書類や収納物の脱落や落 下を防止する独立した面ファスナー組部材を用いた係止具である。
【００６１】
図９に示すように独立した面ファスナー組部材の参考側面図は、一方の面全面にループ係合素子３を配備した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、不特定な厚さの収納物に適応するために、雌型よりも長くしてマチ機能と係止機能を保持し、一方の面全面に、射出成形により成形してなるフック係合素子１４を配備した基材２の裏面の一部に接着剤層６または両面粘着テープ８を配備し、この接着剤層６または両面粘着テープ８の外面側に、剥離紙１０を貼着して形成する。この雌型の面ファスナー組部材は、剥離紙９を剥がして表表紙１１の外面側に貼着し、雄型の面ファスナー組部材は、剥離紙１０を剥がして裏表紙１２の内面側に貼着して使用する。この係合力のやや強い面ファスナー組部材の着脱操作によって多様な紙類や収納物の出し入れを簡便に行い、さらには書類や収納物の脱落や落下を確実に防止する独立した面ファスナー組部材を用いた係止具である。
【００６２】
図１０に示すように独立した面ファスナー組部材の参考側面図は、一方の面全面に樹脂製きのこ型ステム係合素子１５を配備した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、不特定な厚さの収納物に適応するために、雌型よりも長くしてマチ機能と係止機能を保持し、一方の面全面に、樹脂製きのこ型ステム係合素子１５を配備した基材２の裏面の一部に接着剤層６または両面粘着テープ８を配備し、この接着剤層６または両面粘着テープ８の外面側に、剥離紙１０を貼着して形成する。この雌型の面ファスナー組部材は、剥離紙９を剥がして表表紙１１の外面側に貼着し、雄型の面ファスナー組部材は、剥離紙１０を剥がして裏表紙１２の内面側に貼着して使用する。この面ファスナー組部材の強い係合力によって、多様な書類や収納物の脱落や落下を安定して確実に防止する独立した面ファスナー組部材を用いた係止具である。
【００６３】
図１１に示すように一つの部材で着脱自在に係合させる独立した面ファスナー部材の参考側面図は、不特定な厚さの収納物や収納体に適応するために、最適な長さにしてマチ機能と係止機能を保持し、一方の面の一部の面または全面にループ係合素子３を配備し、ループ係合素子が配備された反対の面の端部の一部に粘着剤層５または両面粘着テープ７を配備し、粘着剤層５または両面粘着テープ７を配備した同じ面の粘着剤層５または両面粘着テープ７を配備していない部分または、粘着剤層５または両面粘着テープ７を配備した反対側端部の一部にフック係合素子４を配備し、粘着剤層５または両面粘着テープ７の外面側に、剥離紙９を貼着して形成する。この面ファスナー部材は、剥離紙９を剥がして表表紙１１の外面側または、裏表紙１２の外面側に貼着して使用する独立した面ファスナー部材を用いた係止具である。
【００６４】
図１2に示すように独立したマグネットシート組部材の参考側面図は,マグネットシート１７の裏面全面に接着剤層５または両面粘着テープ７を配備し、この接着剤層５または両面粘着テープ７の外面側に、剥離紙９を貼着して形成する。これに対向するマグネットシート１８は、不特定な厚さの収納物に適応するために、マグネットシート１７よりも長くしてマチ機能と係止機能を保持し、裏面の一部に接着剤層６または両面粘着テープ８を配備し、この接着剤層６または両面粘着テープ８の外面側に、剥離紙１０を貼着して形成する。このマグネットシート組部材は、マグネットシート１７の剥離紙９を剥がして表表紙１１の外面側に貼着し、マグネットシート１８は、剥離紙１０を剥がして裏表紙１２の内面側に貼着して使用する。このマグネットシート組部材は、簡単な着脱操作と接合力によって、多様な書類や収納物の出し入れを簡便に行い、脱落や落下を防止する独立したマグネットシート組部材を用いた止具である。
【００６５】
図１３に示すように独立した面ファスナー組部材の参考側面図は、一方の面全面にループ係合素子３を植設した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、不特定な厚さの収納物に適応するために、雌型よりも長くしてマチ機能と係止機能を保持し、一方の面全面にフック係合素子４を植設した基材２の裏面の一部に接着剤層６または両面粘着テープ８を配備し、さらに接着剤層６または両面粘着テープ８を配備していない部分の一部または全部に、文字及び数字等情報を記入または表示でき部分１９により、インデックス等の機能を持たせ、この接着剤層６または両面粘着テープ８の外面側に、剥離紙１０を貼着して形成する。この雌型の面ファスナー組部材は、剥離紙９を剥がして表表紙１１の外面側に貼着し、雄型の面ファスナー組部材は、剥離紙１０を剥がして裏表紙１２の内面側に貼着して使用する。この独立した面ファスナー組部材は、収納物の脱落や落 下を防止し、収納体の整理・区分・保管を容易に行うインデックス等の機能を具有する独立した面ファスナー組部材を用いた係止具である。
【００６６】
図１４に示す実施態様は、図2の参考斜視図であり、雌型面ファスナー組部材は、剥離紙９を剥がして表表紙１１の外面側に貼着固定し、雄型面ファスナー組部材は剥離紙１０を剥がして裏表紙１２の内面側に貼着固定している。これにより、裏表紙１２の外面側は平らになりファイル等を重ねる上で便利である。
【００６７】
図１５に示す実施態様は、図３の参考斜視図であり,雌型面ファスナー組部材は剥離紙９を剥がして表表紙１１の外面側に貼着固定し、雄型面ファスナー組部材は剥離紙１０を剥がして裏表紙１２の外面側に貼着固定している。これにより、表表紙１１と裏表紙１２の内面側は平らになり、書類などの紙類や収納物の出し入れをスムーズに簡便に行え、さらに紙類などの収納物に皺が入ったり、折曲がったりすることもなく非常に便利である。
【００６８】
図１６に示す実施態様は、図４の参考斜視図であり、雌型面ファスナー組部材は、剥離紙９を剥がして表表紙１１の内面側に貼着固定し、雄型面ファスナー組部材は剥離紙１０を剥がして裏表紙１２の外面側に貼着固定している。これにより、表表紙１１の外面側は平らになりファイル等を重ねる上で便利である。
【００６９】
図１７に示す実施態様は、図５の参考斜視図であり、雌型面ファスナー組部材は、剥離紙９を剥がして表表紙１１の内面側に貼着固定し、雄型面ファスナー組部材は剥離紙１０を剥がして裏表紙１２の内面側に貼着固定している。表表紙１１と裏表紙１２の外面側は上下ともに平らになりファイル等を重ねて整理する上で最適である。
【００７０】
図１８に示す実施態様は、図2の面ファスナー組部材を長辺形の長辺に二つ取付けた参考斜視図であり、雌型面ファスナー組部材は、剥離紙９を剥がして表表紙１１の外面側に貼着固定し、雄型面ファスナー組部材は剥離紙１０を剥がして裏表紙１２の内面側に貼着固定している。これにより、丈の小さな収納物も面ファスナー組部材を一つ取付けた時よりも落下・脱落を確実に防止することができる。
【００７１】
図１９に示す実施態様は、図2の面ファスナー組部材を長辺形の長辺一つと短辺一つに取付けた参考斜視図である。雌型面ファスナー組部材は、剥離紙９を剥がして表表紙１１の外面側に長辺に一つ、短辺に一つ貼着固定し、雄型面ファスナー組部材は剥離紙１０を剥がして裏表紙１２の内面側に長辺に一つ、短辺に一つ貼着固定する。これにより、二面が完全に綴じられファイルでは、残りの二面も面ファスナー組部材で綴じられた状態となり幅の狭く小さな収納物や紙類も、さらに落下・脱落を防止することができる。
【００７２】
図２０に示す実施態様は、複数のファイルを整理・区分・保管するために、図６の面ファスナー組部材を四辺に取付けた参考斜視図である。雌型面ファスナー組部材は、剥離紙９を剥がして最も上にあるファイルの表表紙１１の外面側に貼着固定し、雄型面ファスナー組部材は剥離紙１０を剥がして最も下にあるファイルの裏表紙１２の外面側に貼着固定している。簡便に取付けられた独立した面ファスナー組部材によって四面が綴じられた複数のファイルは、落下・脱落を防止するとともに、立てても寝かしてもどちらでも整理・区分・保管が容易に行える。
【００７３】
図２１に示す実施態様は、複数のさらに厚いファイルを整理・区分・保管するため図７の独立した面ファスナー組部材を四辺に取付けた参考斜視図であり、雌型面ファスナー組部材は、剥離紙９を剥がして最も上にあるファイルの表表紙１１の外面側に貼着固定し、雄型面ファスナー組部材は剥離紙１０を剥がして最も下にあるファイルの裏表紙１２の外面側に貼着固定している。このように多種多様な収納体であっても簡便に取付けて四面が綴じられ、落下・脱落を防止するとともに、立てても寝かしてもどちらでも整理・区分・保管が容易に行える。
【００７４】
図２２に示す実施態様は、図１１を取付けた参考斜視図である。一つの独立した部材で着脱自在に係合させる独立した面ファスナー部材は、剥離紙９を剥がして最も上にあるファイルの表表紙１１の外面側に貼着固定し、粘着剤層５または両面粘着テープ７と同じ面にあるフック係合素子４が最も上にあるファイルの表表紙１１と最も下にある裏表紙１２の外面側周囲を回って、粘着剤層５または両面粘着テープ７を配備した面の反対の面にあるループ係合素子３に係合するようにした、独立した面ファスナー部材を用いた係止具である。多様な収納物や収納体の落下・脱落を防止するとともに、立ててもも寝かしてもどちらでも、整理・区分・保管が容易に行える。
【００７５】
図２３に示す実施態様は、図１２を取付けた参考斜視図である。マグネットシート１７の裏面全面に接着剤層５または両面粘着テープ７を配備し、その外面側に剥離紙９を貼着して形成する。これに対向するマグネットシート１８は、不特定な厚さの収納物に適応するためにマグネットシート１７よりも長く、マチ機能と係止機能を保持し、裏面の一部に接着剤層６または両面粘着テープ８を配備し、この接着剤層６または両面粘着テープ８の外面側に、剥離紙１０を貼着して形成する。このマグネットシート１７は、剥離紙９を剥がして表表紙１１の外面側に貼着し、マグネットシート１８は、剥離紙１０を剥がして裏表紙１２の内面側に貼着して使用する独立したマグネットシート組部材を用いた止具である。独立したマグネットシート組部材は、取扱いと取付けが簡便にでき、着脱も容易で、落下・脱落を防止するとともに、整理・区分・保管が簡便に行える。
【００７６】
図２４に示す実施態様は、図１３を取付けた参考斜視図である。面ファスナー組部材の基材２裏面の一部の接着剤層６または両面粘着テープ８を配備していない部分に、文字及び数字等情報を記入または表示できる部分１９により、インデックス等の機能を持たせた独立した面ファスナー組部材を用いた係止具である。この独立した面ファスナー組部材により、保管の整理と区分が容易に行え、取出しにも便利である。
【００７７】
図２５に示す実施態様は、図２の面ファスナー組部材の基材２裏面の一部の接着剤層６または両面粘着テープ８を配備していない部分に、花柄の飾りを取付けた独立した面ファスナー組部材を用いた係止具である。このように多種多様な形態・色彩・模様を付加した独立した面ファスナー組部材を形成することにより、仕事だけではなくプライベートでも楽しく容易に整理・区分・保管が行える。
【００７８】
以上の独立した面ファスナー組部材は、基材１、基材２がポリアミド、ポリエステル等の合成繊維を織成または編成によって形成すると同時に、フック係合素子４はモノフィラメントなど、ループ係合素子３は、マルチフィラメントなどから形成されている。接着剤層５，接着剤層６は、ゴム系樹脂、アクリル系樹脂などから形成し、両面粘着テープ９、両面粘着テープ１０は、ゴム系樹脂、アクリル系樹脂などによって構成している。
【００７９】
なお、本明細書における「ファイル」とは、収納物を綴じ込んだもの以外に、ノート、アルバム、ホルダー、バインダー等をも含む概念として用いられる。
【符号の説明】
【００８０】
１，２        基材
３            ループ係合素子
４            フック係合素子
５，６        接着剤層
７，８        両面粘着テープ
９，１０      剥離紙
１１          表表紙
１２          裏表紙
１３          ループとフックが混在した係合素子
１４          射出成形により成形したフック係合素子
１５          きのこ型ステム係合素子
１６          ファイル
１７          マグネットシート部材
１８          マグネットシート部材
１９          インデックス部
２０          花柄の飾り
【要約】
【課題】  文具・事務用収納具に関し、収納物が落下・脱落することなく、整理・区分・保管ができ、且つ取扱いが簡便で、さらに任意の場所に必要な数量を極めて簡便に取付けが可能となる、面ファスナー組部材を用いた係止具を提供すること。
【解決手段】  面ファスナー組部材は、一方の面全面にループ係合素子３を植設した基材１の裏面全面に接着剤層５または両面粘着テープ７を配備し、この接着剤層５または両面粘着テープ７の外面側に、剥離紙９を貼着して雌型の面ファスナー組部材を形成する。これに対向する雄型の面ファスナーは、雌型よりも長くしてマチ機能と係止機能を保持し、一方の面全面にフック係合素子４を植設した基材２の裏面の一部に接着剤層６または両面粘着テープ８を配備し、この接着剤層６または両面粘着テープ８の外面側に、剥離紙１０を貼着して形成する面ファスナー組部材を用いた係止具である。
【選択図】 図１【図１】
0004787370.tif 000002
【図２】
0004787370.tif 000003
【図３】
0004787370.tif 000004
【図４】
0004787370.tif 000005
【図５】
0004787370.tif 000006
【図６】
0004787370.tif 000007
【図７】
0004787370.tif 000008
【図８】
0004787370.tif 000009
【図９】
0004787370.tif 000010
【図１０】
0004787370.tif 000011
【図１１】
0004787370.tif 000012
【図１２】
0004787370.tif 000013
【図１３】
0004787370.tif 000014
【図１４】
0004787370.tif 000015
【図１５】
0004787370.tif 000016
【図１６】
0004787370.tif 000017
【図１７】
0004787370.tif 000018
【図１８】
0004787370.tif 000019
【図１９】
0004787370.tif 000020
【図２０】
0004787370.tif 000021
【図２１】
0004787370.tif 000022
【図２２】
0004787370.tif 000023
【図２３】
0004787370.tif 000024
【図２４】
0004787370.tif 000025
【図２５】
0004787370.tif 000026